(57)【要約】【課題】  容易に剥離ライナーを剥がして皮膚に貼り付けることのできる貼付剤を提供すること。【解決手段】  本考案は、支持体１２と、この支持体１２の一面に積層された粘着層１４と、粘着層１４に剥離可能に付着された剥離ライナー１６とを備える貼付剤１０において、剥離ライナー１６に折曲げを容易化するミシン目１８の如き弱化線を形成したことを特徴としている。この構成においては、剥離ライナー１６をミシン目１８に沿って折り曲げることで、折曲げ部分１６ａを確実に指で把持することができ、剥離ライナー１６の剥離を容易化することができ、ひいては貼付剤１０の皮膚への貼付けも容易化することができる。【選択図】  図１
0003108875.tif 000002
【実用新案登録請求の範囲】
【請求項１】
支持体と、前記支持体の一面に積層された粘着層と、前記粘着層に剥離可能に付着された剥離ライナーとを備える貼付剤において、
前記剥離ライナーに折曲げを容易化する弱化線を形成したことを特徴とする貼付剤。
【請求項２】
前記弱化線はミシン目であることを特徴とする請求項１に記載の貼付剤。
【考案の詳細な説明】
【技術分野】
【０００１】
本考案は、プラスター剤やパップ剤等の貼付剤に関するものである。
【背景技術】
【０００２】
従来一般の薬物含有の貼付剤は、不織布等からなる支持体と、その全体に積層された粘着層と、粘着層に剥離可能に付着された剥離ライナーとから構成されている。また、薬物は、粘着層を構成する粘着剤に含有されている。このような貼付剤では、使用する場合、剥離ライナーを剥がし、粘着層の露出面を皮膚に貼り付けることとなる。
【０００３】
粘着層を皮膚に貼り付ける作業を容易化する手段としては従来から種々考えられており、例えば、下記の実用新案登録文献１には、貼付剤を両端から引っ張ることで、剥離ライナーをその中央部に形成された切れ目に沿って引き裂き、粘着層を露出させて皮膚に貼りやすくする手段が開示されている。
【実用新案登録文献１】
【０００４】
特許公開２００１−３２８９３５号公報
【考案の開示】
【考案が解決しようとする課題】
【０００５】
しかしながら、上記公報に記載の手段は、支持体が伸縮性を有しないタイプの貼付剤に＋は適用することができない。また、引き裂かれた剥離ライナーの全体が粘着層に付着した状態のままであることがあり、剥離ライナーの縁部を把持して剥離ライナーを剥離することが困難になる場合がある。
【０００６】
そこで、本考案の目的は、伸縮性を有しない支持体からなる貼付剤であっても、容易に剥離ライナーを剥がして皮膚に貼り付けることのできる貼付剤を提供することにある。
【課題を解決するための手段】
【０００７】
上記目的を達成するために、本考案は、支持体と、この支持体の一面に積層された粘着層と、粘着層に剥離可能に付着された剥離ライナーとを備える貼付剤において、剥離ライナーに折曲げを容易化する弱化線を形成したことを特徴としている。
【０００８】
弱化線としては種々考えられるが、製造工程の容易性という観点からはミシン目が好適である。
【考案の効果】
【０００９】
上述したような構成においては、剥離ライナーを弱化線に沿って折り曲げることで、折曲げ部分を確実に指で把持することができ、剥離ライナーの剥離を容易化することができ、ひいては貼付剤の皮膚への貼付けも容易化することができる。また、支持体の伸縮性が低いタイプの貼付剤に対しても、本考案は有効に適用することができる。
【考案を実施するための最良の形態】
【００１０】
以下、図面を参照して本考案の好適な実施形態について詳細に説明する。なお、図中、同一又は相当部分には同一符号を付することとする。
【００１１】
図１は本考案による貼付剤の好適な実施形態を示す斜視図である。図示するように、本実施形態に係る貼付剤１０は、略矩形をなし、支持体１２と、この支持体１２の一方の面に積層された粘着層１４と、この粘着層に剥離可能に貼着された剥離ライナー１６とから構成されている。
【００１２】
支持体１２の構成材料は、特に限定されないが、ポリエチレンテレフタレート（ＰＥＴ）、エチレン−酢酸ビニル共重合体（ＥＶＡ）、塩化ビニル、ポリエチレン、ポリブタジエン、スチレン−ブタジエンもしくはスチレン−イソプレンを主体とするブロック共重合樹脂、ブタジエン−スチレン−メタクリル酸メチル共重合樹脂、ナイロン、ポリウレタン、アルコキシアルキル（メタ）アクリレート共重合体、ポリビニルアセタール、ポリアミド、レイヨン等の合成樹脂からなるフィルム、織布、編布、不織布、又はこれらの積層体が好ましく使用される。また、支持体１２は適度な柔軟性を有していることが好ましい。
【００１３】
粘着層１４の主成分は感圧性接着剤である。その構成材料は、特に限定されないが、常温で薬物を皮膚表面に長時間固定し得る粘着力を有するものが好ましく、例えば、アクリル系粘着剤、ゴム系粘着剤、シリコン系粘着剤等が挙げられる。中でも粘着物性及び薬物の放出性がよいという観点からゴム系粘着剤が好ましく用いられ、特に、天然ゴム、合成イソプレンゴム、ポリイソブチレン、ポリビニルエーテル、ポリウレタン、ポリイソプレン、ポリブタジエン、スチレン−ブタジエン共重合体、スチレン−イソプレン共重合体、スチレン−イソプレン−スチレンブロック（ＳＩＳ）共重合体等がより好ましく用いられる。さらに、ＳＩＳ共重合体を用いる場合は、シェル化学社製のＳＩＳ基剤（商品名：カリフレックスＴＲ−１１０７、カリフレックスＴＲ−１１１１、カリフレックスＴＲ−１１１２、カリフレックスＴＲ−１１１７）、日本合成ゴム社製のＳＩＳ基剤（商品名：ＪＳＲ５０００、ＪＳＲ５００２、ＪＳＲ５１００）、日本ゼオン社製のＳＩＳ基剤（商品名：クインタック３５７０Ｃ）等が最も好ましく用いられる。
【００１４】
粘着層１４には、必要に応じて粘着付与剤、軟化剤、充填剤、老化防止剤、吸収促進剤等の配合剤を添加してもよい。このような配合剤としては、例えば、脂環族飽和炭化水素樹脂（荒川化学工業社製、商品名：アルコンＰ−１００等）、ロジンエステル（荒川化学工業社製、商品名：ＫＥ−３１１、ＫＥ−１００等）、水素添加ロジンエステル（ハーキュレス社製、商品名：フォーラル１０５、フォーラル８５等）、水素化脂環族系炭化水素（エクソン化学社製、商品名：エスコレッツ５３００等）、ポリテルペン樹脂、石油樹脂、フェノール樹脂の粘着付与剤；流動パラフィン、ポリブテン、液状ポリイソブチレン、動植物油等の軟化剤；その他充填剤；老化防止剤等が挙げられる。また必要に応じて、薬剤の皮膚透過性を向上させるために感圧性接着剤中に吸収促進剤を含有してもよく、このような吸収促進剤としては、例えば、ミリスチン酸イソプロピル、セバシン酸ジエチル、、ソルビタンモノラウレート、オレイルリン酸ナトリウム、ラウリル硫酸ナトリウム、オクチルフェニルエーテル、ラウリルエーテル、ソルビタンモノラウレート、ラウロイルジエタノールアミド、ラウロイルサルコシン、オレオイルサルコシンシュガーエステル、レシチン、グリチルレチン、尿素、サリチル酸、チオグリコール酸カルシウム、乳酸、乳酸エステル、オリーブ油、スクワレン、ラノリン、流動パラフィン、グリセリン等が挙げられる。その他、色素、香料、紫外線吸収剤、界面活性剤、ｐＨ調整剤等も貼付剤の目的に応じて感圧性接着剤中に適宜配合してもよい。
【００１５】
本実施形態の貼付剤１０に薬剤を保持させる場合には、前記の感圧性接着剤に配合すればよい。このような薬剤としては、例えば、全身麻酔剤、睡眠、鎮痛剤、解熱消炎鎮痛剤、ステロイドホルモン剤、興奮・覚醒剤、精神神経用剤、局所麻酔剤、骨格筋弛緩剤、自立神経用剤、抗アレルギー剤、抗ヒスタミン剤、強心剤、不整脈用剤、利尿剤、血圧降下剤、血管収縮剤、血管拡張剤、カルシウム拮抗剤、抗殺菌剤、寄生性皮膚疾患用剤、皮膚軟化剤、抗生物質、解毒剤、鎮咳剤、鎮痒剤、催眠剤、精神活力剤、ぜんそく剤、ホルモン分泌促進剤、抗潰瘍剤、制癌剤、ビタミン剤、等が挙げられる。
【００１６】
剥離ライナー１６の構成材料は、剥離処理が施されたポリエチレンテレフタレート等の樹脂フィルム、紙等が適宜選択される。なお、剥離ライナー１６は、支持体１２及び粘着層１４に皺やより、ねじれが生じないよう、適度な剛性を有することが好ましい。
【００１７】
更に、剥離ライナー１６には、貼付剤１０の短辺側の各端部から所定の距離（例えば、１〜３cm程度）離れた位置に、直線状のミシン目１８が短辺に平行に形成されている。これによって、剥離ライナー１６は、外側の２つの領域１６ａと、中央の領域１６ｂとに区画される。ミシン目１８は、剥離ライナー１６を容易に折り曲げるための弱化線として機能するものであり、剥離ライナー１６を切断することを目的としたものではない。従って、ミシン目１８を構成する各切込みは剥離ライナー１６を貫通している必要はなく、薬剤の漏洩や空気接触による薬剤の劣化を防止するという観点からは、貫通していないことが却って好ましい。
【００１８】
このような貼付剤１０を使用する場合、まず、図２に示すように、剥離ライナー１６を、その一方の端縁を起点として、粘着層１４から引き剥がす。更に剥離ライナー１６を引き剥がしていくと、ミシン目１８の存在により、剥離ライナー１６の領域１６ａはミシン目に沿って折れ曲がり、粘着層１４に再付着することが防止される。また、この折り曲がった領域１６ａを指で把持することも極めて容易となる。
【００１９】
この状態で患部の皮膚に貼付剤１０を押し当てれば、図３に示すように、粘着層１４の端の部分が露出状態を維持しているため、患部の皮膚Ｓに確実に付着させることができる。そして、剥離ライナー１６の領域１６ａを指で把持したまま引っ張るだけで、剥離ライナー１６は粘着層１４から剥離し、同時に粘着層１４全体が皮膚Ｓに貼り付けられることとなる。
【００２０】
なお、本実施形態によれば、支持体１２を引き伸ばして剥離ライナー１６を切断する必要もないので、支持体１２の伸縮性が低い場合にも有効となる。
【００２１】
以上、本考案の好適な実施形態について詳細に説明したが、本考案は上記実施形態に限定されないことはいうまでもない。
【００２２】
例えば、上記実施形態では、ミシン目１８は２本としているが、いずれか一方のみとしてもよい。また、ミシン目１８を付ける工程は容易であるという特徴があるが、剥離ライナー１６の折曲げを容易に行うことができればよいため、弱化線としてはミシン目に限られず、溝や、熱を加えて剥離ライナー１６を劣化させた線など、種々の形態が考えられる。
【図面の簡単な説明】
【００２３】
【図１】本考案による貼付剤の一実施形態を概略的に示す斜視図である。
【図２】図１の貼付剤における剥離ライナーの一部を剥離し折り曲げた状態を概略的に示す斜視図である。
【図３】図１の貼付剤を皮膚に貼り付ける方法を概略的に示す側面図である。
【符号の説明】
【００２４】
１０…貼付剤、１２…支持体、１４…粘着層、１６…剥離ライナー、１８…ミシン目（弱化線）。
【図１】
0003108875.tif 000003
【図２】
0003108875.tif 000004
【図３】
0003108875.tif 000005